(57)【要約】【課題】  装置とインターフェースを二重化した構成でケーブルの接続ミスが発生した場合に自動的に接続の設定を入れ替えて再接続を行い可用性を向上すること。【解決手段】  装置０、１は、２重化されたネットワーク２、３にそれぞれ接続するネットワークカードのＮＩＣ８０−１、−２と、前記ネットワークカードの検出順にアドレスを割り付けたネットワーク定義情報を保持するネットワーク定義ファイル２０を有し、ネットワーク管理手段３０は、ＮＩＣ８０−１、−２を順に検出し、ネットワーク定義ファイル２０を参照して検出したＮＩＣ８０の順にアドレスを割り当てて装置間のネットワークの接続確立を行い、接続確立に失敗した場合ＮＩＣ８０に割り当てるアドレスを他のＮＩＣ８０に割り当てたアドレスと入れ替えて接続確立を行う。【選択図】      図１
2006279404.tif 000002
【特許請求の範囲】
【請求項１】
２重化されたネットワークで２重化された装置を接続する通信部接続ミス救済方式であって、
前記装置は、前記２重化されたネットワークにそれぞれ接続する２つのネットワークカードと、前記ネットワークの構成を管理するネットワーク管理手段と、前記ネットワークカードの検出順にアドレスを割り付けたネットワーク定義情報を保持するネットワーク定義ファイルを有し、
前記ネットワーク管理手段は、前記ネットワークカードを予め決められた順に検出し、ネットワーク定義ファイルを参照して検出したネットワークカードの順にネットワーク定義のアドレスを割り当てて装置間のネットワークの接続確立を行い、接続確立に失敗した場合ネットワークカードに割り当てるアドレスを他のネットワークカードに割り当てたアドレスと入れ替えて接続確立を行うことを特徴とする通信部接続ミス救済方式。
【請求項２】
前記装置はブザーを鳴動するブザー装置を有し、前記ネットワーク管理手段が接続確立に失敗した場合前記ネットワーク管理手段の指示により前記ブザー装置がブザーを鳴動することを特徴とする請求項１の通信部接続ミス救済方式。
【発明の詳細な説明】
【技術分野】
【０００１】
本発明は二重化装置における接続ミス救済方式に関し、特に、ケーブルの接続ミスやネットワークカードの定義割り当てミス等の接続ミスを救済する技術に関する。
【背景技術】
【０００２】
複数のネットワークカードが搭載されている場合、検出された順にネットワーク定義が順次割り当てられる。通常最初に検出されるカードが故障等で検出出来なかった場合、本来２番目に検出されるカードが１枚目として検出され１枚目のネットワーク定義が２枚目のカードに割り当てられてしまう。この状態になると該当装置は本来正常な２枚目のカードも接続不可となる問題があった。
【０００３】
また、図７を参照すると、図７の“作業前”の形態で接続されるべきところ、装置Ｚの保守時に外したケーブルを作業ミスで“作業後”の形態に接続してしまった場合、装置Ｚと装置Ｙ間の通信が正常にできなくなってしまう。
【０００４】
また、装置の部品を保守交換するため全てのケーブルを抜いた場合、床下等から配線されるケーブルは接続を誤ることが多く、特に装置を二重化している場合同じケーブルが複数配線されるため誤りやすくなる。
【発明の開示】
【発明が解決しようとする課題】
【０００５】
従来は、保守作業でケーブルの接続ミスやネットワーク定義の割り当てのときにＮＩＣカードの故障があってもミスに気づきにくく、運用を開始しようとした時に異常が検出されるため運用開始が遅れるという問題があった。
【０００６】
本発明の目的は、装置及びインターフェースを二重化し信頼性の向上を目指す二重化装置において、ネットワークケーブルの接続ミスが発生した場合に自動的に接続の設定を変更して接続を確立し可用性を向上した接続ミス救済方式を提供することにある。
【課題を解決するための手段】
【０００７】
本発明の第１の通信部接続ミス救済方式は、２重化されたネットワークで２重化された装置を接続する通信部接続ミス救済方式であって、
前記装置は、前記２重化されたネットワークにそれぞれ接続する２つのネットワークカードと、前記ネットワークの構成を管理するネットワーク管理手段と、前記ネットワークカードの検出順にアドレスを割り付けたネットワーク定義情報を保持するネットワーク定義ファイルを有し、
前記ネットワーク管理手段は、前記ネットワークカードを予め決められた順に検出し、ネットワーク定義ファイルを参照して検出したネットワークカードの順にネットワーク定義のアドレスを割り当てて装置間のネットワークの接続確立を行い、接続確立に失敗した場合ネットワークカードに割り当てるアドレスを他のネットワークカードに割り当てたアドレスと入れ替えて接続確立を行うことを特徴とする。
【０００８】
本発明の第２の通信部接続ミス救済方式は、本発明の第１の通信部接続ミス救済方式において、前記装置はブザーを鳴動するブザー装置を有し、前記ネットワーク管理手段が接続確立に失敗した場合前記ネットワーク管理手段の指示により前記ブザー装置がブザーを鳴動することを特徴とする。
【発明の効果】
【０００９】
第１の効果は、最初に検出されるべきネットワークカードが故障し検出されず、最初のカードに割り当てられるべき定義が２枚目のカードに割り当てられてしまった場合、二重化されているにもかかわらず両方のネットワークとも接続失敗となるが、ネットワーク定義を一時的に入れ替えることにより２枚目のカードに２番目の定義が割り当てられ、一方のネットワークのみ通信が可能となり運用を開始でき可用性が向上する。
【００１０】
第２の効果として、ネットワークケーブルを逆に接続した場合、一時的に定義を入れ替えることにより、とりあえずシステムを起動し、後刻保守員が接続を整えることにより可用性が向上する。
【発明を実施するための最良の形態】
【００１１】
次に、本発明を実施するための最良の形態について図面を参照して詳細に説明する。
図１を参照すると本発明は、同じ構成の２台の装置０及び装置１とこれらの装置を接続する２本のインターフェース（ネットワーク２、ネットワーク３）からなる二重化装置で構成される。装置０及び装置１は、ペアー診断インターフェース１０、ネットワーク定義ファイル２０、ネットワーク管理手段３０、ネットワーク定義記憶部４０、ブザー制御手段５０、ＮＩＣ８０−１とＮＩＣ８０−２のネットワークカード２枚を含む。
【００１２】
ペアー診断インターフェース１０は、相手装置と２本の信号線で接続し、１本は相手装置に対する自装置の動作中を示す出力線でありもう１本は相手装置が動作中かを検出する入力線である。装置０の出力線は装置１の入力線につながり、装置１の出力線は装置０の入力線に繋がる。装置が起動中はそれぞれの出力線はＯＮの信号に設定される。
【００１３】
ネットワーク定義ファイル２０は、磁気ディスク等の記憶媒体に記憶されるファイルで、自装置のネットワークカードの接続情報が書き込まれている。情報は装置に搭載されるネットワークカードの枚数登録し、最初に検出されたネットワークカードに対する定義を先頭に、次に検出されたカードに対する定義を次に登録する。登録する情報は図２の通りカードの順番毎のアドレス情報である。
【００１４】
ネットワーク管理手段３０は、自装置内のネットワークカード（ＮＩＣ８０−ｎ）を検出し、検出した順番にネットワーク定義ファイル２０の情報を取り出しネットワーク定義記憶部４０に検出した位置（スロット等）とアドレス登録する。ネットワークカードＮＩＣ８０−ｎの検出は決まったスロット順（若番から等）に検出するため通常は同じ順番に検出される。
【００１５】
ネットワーク定義ファイル２０は、ネットワーク定義記憶部４０に登録し終わったらこれを元に相手装置との接続確立を行い接続に失敗したら、ペアー診断インターフェース１０の入力信号により相手装置の状態を確認し相手装置が起動していればネットワーク定義記憶部４０のアドレスを入れ替え再接続を試みる。ネットワーク定義記憶部４０を入れ替えた場合（ネットワーク定義ファイル２０とネットワーク定義記憶部４０の情報が不一致）ブザー制御手段５０へ通知する。
【００１６】
ネットワーク定義記憶部４０は、ネットワーク定義の一時記憶部で、ネットワーク管理手段３０によりネットワークカードを検出する毎に検出した位置を登録し、検出順にネットワーク定義ファイル２０の先頭から順に登録される記憶部。ネットワークの接続に失敗した場合は、ネットワーク管理制御手段３０がアドレスを入れ替える。
【００１７】
ブザー制御手段５０は、ネットワーク管理手段３０により指示され外部に通知する手段、例えばブザー等を鳴動させる。
【００１８】
ＮＩＣ８０−ｎは、外部と通信するためのネットワークカードであり、装置に複数搭載可能である。装置に搭載されたＮＩＣ８０−ｎは、ネットワーク管理手段３０により検出され順次アドレスが割り当てられる。
【００１９】
図２は図１のネットワーク定義ファイル２０の内容である。２エントリからなり検出されたネットワークカードに割り当てる順にアドレスが記録されている。
【００２０】
図３は図１のネットワーク定義記憶部４０の内容である。２エントリからなり検出されたネットワークカードの位置とそれに割り振るアドレスを一時記憶する。
【００２１】
図２の表中の値と図１の構成の場合、初期値として、ネットワーク管理手段３０はＮＩＣ８０−１、ＮＩＣ８０−２の順でネットワークカードを検出するので、図３のスロット１はＮＩＣ８０−１となり１０．３３．１０．１をスロット２はＮＩＣ８０−２となり１０．３３．１１．１を設定する。
【００２２】
次に、本発明を実施するための最良の形態の動作について図４〜図６のフローチャートを参照して説明する。図４は、装置起動からネットワークカード検出及びアドレスの初期設定までの動作を示したフローチャートである。図５は、ネットワーク接続処理の動作を示したフローチャートである。図６は、ネットワーク接続が出来なかった場合のチェック処理の動作を示したフローチャートである。以降に装置０をベースに動作を説明する。
【００２３】
装置０のネットワーク管理手段３０は、装置が起動したことを示すためペアー診断インターフェース１０の出力信号をＯＮにする（図４のＡ１）。ネットワークカードの検出を計数する検出カウンタ（ＣＮＴ）を０にクリアする（図４のＡ２）。装置の若番スロットから順次搭載されているカードをチェックし（図４のＡ３）、ネットワークカードを検出出来なくなったらネットワーク接続処理（図５）へ進む（図４のＡ４）。
【００２４】
ネットワークカードを検出したらネットワーク定義記憶部４０のＣＮＴ番目のエリアの検出ＮＩＣカードエリアに検出した位置を記録し（図４のＡ５）、アドレス部にネットワーク定義ファイル２０のＣＮＴ番目のアドレスを転記する（図４のＡ６）。検出カウンタ（ＣＮＴ）をカウントアップする（図４のＡ７）。必要なＮＩＣカード数を検出出来るまでＮＩＣカードの検出を繰り返し、全て検出したらネットワーク接続処理を抜ける（図４のＡ８）。
【００２５】
ネットワーク管理手段３０は、検出したカードをネットワーク定義記憶部４０に登録したアドレスで接続を試み（図５のＢ１）、接続が完了するのを一定時間待つ（図５のＢ２）。ネットワーク接続が確立したら運用を開始する（図５のＢ３）。接続が１つも出来ない場合は、状態チェック処理（図６）を実施し（図５のＢ５）、変更ありの結果ならば再度ネットワーク確立処理を実施し、変更なしの場合は他装置との接続を諦め単独で運用を開始する（図５のＢ５）。
【００２６】
状態チェック処理では、ペアー診断インターフェース１０の入力信号を確認し（図６のＣ１）、信号がＯＦＦ（相手装置は起動していない）ならば変更なしで処理を終了し（図６のＣ２）、信号がＯＮなら（相手装置は起動している）、ネットワーク定義記憶部４０の”アドレス”を入れ替える（図６のＣ３）。ネットワーク定義ファイル２０の設定でネットワーク接続が出来なかったことを通知するためブザーを鳴動させる（図６のＣ４）。状態チェック処理は変更ありで終了するとネットワーク接続処理にて接続処理の再試行が行われる。
【図面の簡単な説明】
【００２７】
【図１】本発明の構成を示した図である。
【図２】本発明のネットワーク定義ファイル２０の内容を示した図である。
【図３】本発明のネットワーク定義記憶部４０の内容を示した図である。
【図４】本発明の装置起動からネットワークカード検出及びアドレスの初期設定までの動作を示したフローチャートである。
【図５】本発明のネットワーク接続処理の動作を示したフローチャートである。
【図６】本発明のネットワーク接続が出来なかった場合のチェック処理の動作を示したフローチャートである。
【図７】従来の保守作業前と作業後のケーブル接続ミスの一例を示した図である。
【符号の説明】
【００２８】
０、１    装置
２、３    ネットワーク
１０    ペアー診断インターフェース
２０    ネットワーク定義ファイル
３０    ネットワーク管理手段
４０    ネットワーク定義記憶部
５０    ブザー制御手段
８０    ＮＩＣ
【図１】
2006279404.tif 000003
【図２】
2006279404.tif 000004
【図３】
2006279404.tif 000005
【図４】
2006279404.tif 000006
【図５】
2006279404.tif 000007
【図６】
2006279404.tif 000008
【図７】
2006279404.tif 000009